(57)【特許請求の範囲】
【請求項１】
情報記録媒体の画像をスクリーンに投影する投影手段と、
前記スクリーンに投影された画像の所望の領域の縦方向の座標値を複数のカーソルを用いて独立に複数設定する縦座標設定手段と、
前記領域の横方向の座標値を複数のカーソルを用いて独立に複数設定する横座標設定手段と、
前記縦座標設定手段及び前記横座表設定手段により設定された座標値により選択される領域の画像を記録する記録手段と、
選択済みの領域の縦または横の幅を変更せずに他の領域を選択する場合、前記複数の縦方向のカーソルまたは前記複数の横方向のカーソルを連動して移動させるべくそれぞれを連結する連結手段と、
を備えたことを特徴とする情報処理装置。
【請求項２】
情報記録媒体の画像をスクリーンに投影する投影手段と、
前記スクリーンに投影された画像の所望の領域の縦方向の座標値を複数のカーソルを用いて独立に複数設定する縦座標設定手段と、
前記領域の横方向の座標値を複数のカーソルを用いて独立に複数設定する横座標設定手段と、
前記縦座標設定手段及び前記横座表設定手段により設定された座標値により選択される領域の画像を記録する記録手段と、
前記選択された領域を示す情報を記憶する記憶手段と、
選択済みの領域の縦または横の幅を変更せずに他の領域を選択する場合、前記記憶手段に記憶された領域を示す情報に基づき、前記複数の縦方向のカーソルの1つまたは前記複数の横方向のカーソルの１つの移動に連動して、縦方向または横方向の他のカーソルをそれぞれ移動させる駆動手段と、
を備えたことを特徴とする情報処理装置。
【発明の詳細な説明】
【０００１】
【産業上の利用分野】
本発明は、マイクロフィルムなどの情報記録媒体上の画像情報をスクリーン上に投影する機能を有する情報処理装置に関する。
【０００２】
【従来の技術】
従来、この種の装置としてリーダプリンタが知られている。図１１はリーダプリンタの外観を示す斜視図である。図１２はリーダプリンタの構成を示す説明図である。
【０００３】
リーダプリンタ１００は、ランプ１０２の光と反射鏡１０１によって反射されたランプ１０２の光とを集光レンズ１０３により集光してマイクロフィルム１０４を照明し、その画像光を結像レンズ１０５、ミラー１０６、１０７を介してスクリーン１０８上に投影してマイクロフィルム１０４上の情報を読み取る。
【０００４】
一方、この情報を記録紙などに記録する場合には、支持体１０９に支持された互いに光路９０度の角度をなす２つのミラー１１０、１１１を矢印Ｐ１方向に移動してミラー１１０がリーダ光路中に位置するようにし、その後ミラー１１０、１１１を逆の矢印Ｐ２方向に走査して画像光を偏光し、スリット板１１２により形成されたスリット１１２ａを通過して感光ドラム１１３に導き、公知の電子写真技術により記録することとしている。
【０００５】
ところで、この種のリーダプリンタにおいては、マイクロフィルムの投影画像から所望の画像領域を選択的に指定し、指定された画像領域以外の部分が感光ドラム上に露光されないようにシャッター部材などを移動させて所望の画像領域のみをプリントできるようにしている。
【０００６】
そして、画像領域を選択する方式としては、スクリーン上から確実に画像領域を指定できるように上下方向と左右方向との２本または４本のカーソルをスクリーンに配設し、各カーソルをスクリーン上で移動操作し、所望の画像領域を指定する方式が提案されている。
【０００７】
【発明が解決しようとする課題】
しかしながら、上記従来例において、名簿、プログラム、索引などか記録されている画像情報に対して１行の情報または数行に亘る情報のみを選択的にプリントするような場合、所望の画像領域は非常に狭い範囲となり、画像領域設定時、所望の画像領域幅を２本のカーソルで挟むことにより指定する場合、１本目のカーソルを移動して位置指定した後、２本目のカーソルの移動距離が大きくなる。
【０００８】
また、行を変更して別の画像領域を選択する場合や投影画像を変えて引き続き領域を選択する場合には、上下方向または左右方向に２本のカーソルを同一幅で同じ量だけ移動し、画像領域設定を再び行わなければならなかった。
【０００９】
このように、狭い画像領域を頻繁に選択する場合にはカーソルの移動操作、画像領域設定が非常に面倒になる。
【００１０】
そこで、本発明は狭い画像領域を頻繁に選択する場合であってもカーソルの移動操作、画像領域設定を簡単に行なえる情報処理装置を提供することを目的とする。
【００１４】
【課題を解決するための手段】
上記目的を達成するために、本発明の請求項１に係る情報処理装置は、情報記録媒体の画像をスクリーンに投影する投影手段と、前記スクリーンに投影された画像の所望の領域の縦方向の座標値を複数のカーソルを用いて独立に複数設定する縦座標設定手段と、前記領域の横方向の座標値を複数のカーソルを用いて独立に複数設定する横座標設定手段と、前記縦座標設定手段及び前記横座表設定手段により設定された座標値により選択される領域の画像を記録する記録手段と、選択済みの領域の縦または横の幅を変更せずに他の領域を選択する場合、前記複数の縦方向のカーソルまたは前記複数の横方向のカーソルを連動して移動させるべくそれぞれを連結する連結手段と、を備える。
【００１５】
請求項２に係る情報処理装置は、情報記録媒体の画像をスクリーンに投影する投影手段と、前記スクリーンに投影された画像の所望の領域の縦方向の座標値を複数のカーソルを用いて独立に複数設定する縦座標設定手段と、前記領域の横方向の座標値を複数のカーソルを用いて独立に複数設定する横座標設定手段と、前記縦座標設定手段及び前記横座表設定手段により設定された座標値により選択される領域の画像を記録する記録手段と、前記選択された領域を示す情報を記憶する記憶手段と、選択済みの領域の縦または横の幅を変更せずに他の領域を選択する場合、前記記憶手段に記憶された領域を示す情報に基づき、前記複数の縦方向のカーソルの1つまたは前記複数の横方向のカーソルの１つの移動に連動して、縦方向または横方向の他のカーソルをそれぞれ移動させる駆動手段と、を備える。
【００２０】
【実施例】
つぎに、本発明の情報処理装置の実施例について説明する。
【００２１】
［第１実施例］
図１は第１実施例の情報処理装置としてのリーダプリンタの構成を示す説明図である。図において、１は記録媒体としてのマイクロフィルム、２はマイクロフィルム１を照明する光源としてのランプ、３は球面反射鏡、４は集光レンズ、５は投影レンズ、６、７はリーダ時に使用する平面ミラー、８は表示手段としてのスクリーン、９、１０はプリント時に使用する平面ミラー、１１はミラー９、１０を固定するための支持体、１２は感光ドラム、１３はスリット板、１３ａはスリット板１３のスリット、１８は感光ドラム１２に露光された画像情報が転写される記録用紙、１９は感光ドラム１２に露光された画像情報を記録紙１８に転写するタイミングを調整するためのレジストローラーであり、支持体１１はプリント時に矢印Ｂ１または矢印Ｂ２方向に移動する。
【００２２】
図２はスクリーン８の外観を示す正面図である。図において、２０はスクリーン８の背面側に配設され画像記録範囲の縦方向の位置を指定するカーソル線材、２１は同じくスクリーン８の背面側に配設され画像記録範囲の横方向の位置を指定するカーソル線材、２０ａ、２１ａはカーソル２０、２１に各々取り付けられたつまみ、２２はカーソル２０の位置を検出するための位置検出手段、２３はカーソル２１の位置を検出する位置検出手段、２４はカーソル２０、２１によって画像範囲位置が指定された座標、２５はキーボード（図示せず）などの入力手段によって画像範囲幅が指定されたことにより決定された座標、２６は座標２４、２５によって囲まれた画像範囲、３１、３２はキーボード（図示せず）などの入力手段により入力される画像範囲幅である。
【００２３】
尚、カーソル２０は矢印Ｃ１方向に、カーソル２１は矢印Ｃ２方向にそれぞれつまみ２０ａ、２１ａで移動できるものである。また、カーソル２０、２１はスクリーン８に画像情報を投影する時にスクリーン８の背面に映り、スクリーン正面側から投影された画像情報と共に視認される。
【００２４】
上記構成を有するリーダプリンタにおいて、情報記録媒体としてのマイクロフィルム１は光源としてのランプ２、球面反射鏡３および集光レンズ４からなる照明手段により照明され、リーダ時にはフィルム１の画像光はその上方に位置する投影レンズ５を通り、さらに上方に位置する平面ミラー６、７で反射され、表示手段としてのスクリーン８に投影される。
【００２５】
ミラー９、１０は光路に対して直角に交差する関係で支持体１１の下面に固定支持されており、プリント時にはまず、支持体１１がミラー９、１０と一体に矢印Ｂ１方向に往動し（プリスキャン）、ミラー９がリーダ光路を交差しながら進む。その後、露光開始点より矢印Ｂ２方向に復動する。このとき、投影レンズ５を通った画像光は平面ミラー９、１０で反射され、像担持体としての感光ドラム１２の近傍に設けたスリット板１３のスリット１３ａを通って感光ドラム１２に露光される。
【００２６】
感光ドラム１２の周囲には、現像器（図示せず）の他に公知の電子写真法による一次帯電器、転写帯電器等（図示せず）が設けられている。この感光ドラム１２は画像露光中に矢印方向に一定速度で回転し、記録用紙１８が搬送されると、感光ドラム１２に露光された画像情報が記録用紙１８に転写される。
【００２７】
また、ミラー９、１０は感光ドラム１２の周速の１／２の速度で移動する。尚、前記支持体１１は露光終了後にリーダとして使用できるような最初の位置に戻り停止する。
【００２８】
上記構成を有する情報処理装置としてのリーダプリンタでは、使用者の名簿、プログラム、索引等が記録されている画像情報に対して１行の情報または数行に亘る情報のみを画像領域として指定する場合、スクリーン８上でカーソル２０、２１を移動し、位置検出手段２２、２３によってスクリーン８上の座標２４を検出し、さらにキーボード（図示せず）などの入力手段からカーソル２０からの距離３１と、カーソル２１からの距離３２とをスクリーン８上の目盛りを参照して入力することにより、座標２５を決定し、スクリーン８に投影されている画像情報の面内において所望の追記画像情報を加入したい任意の面領域をカーソル２０、２１の投影線と、キーボード（図示せず）などの入力手段から入力されたカーソル２０、２１からの距離３１、３２から決定された座標とで囲み状態にし、画像領域２６を指定する。
【００２９】
ここで、行を変更して別の画像領域を選択する場合や、投影像を変えて引き続き領域選択を行なう場合には、上下方向においてカーソル２０、または左右方向においてカーソル２１を双方共に移動し、画像領域幅を再度設定しなければならない。
【００３０】
そこで、指定された画像領域幅は記憶装置（図示せず）等に記憶しておき、カーソル２０が矢印Ｃ１方向に移動した場合、記憶しておいた画像領域幅より画像領域座標値を算出し、座標２４が移動した移動量と画像領域幅とから座標２５の座標値を前回指定した画像領域幅と同一になるよう補正する。この補正は、再度キーボード（図示せず）などの入力手段によりカーソル２０、２１からの距離３１、３２が入力されるまで行なう。また同様に、カーソル２１が矢印Ｃ２方向に移動した場合、記憶しておいた画像領域幅より画像領域座標値を算出し、座標２４が移動した移動量と画像領域幅とから、座標２５の座標値を前回指定した画像領域幅と同一になるよう補正する。この補正は、再度、キーボード（図示せず）などの入力手段よりカーソル２０、２１からの距離３１、３２が入力されるまで行なう。
【００３１】
［第２実施例］
つぎに、本発明の情報処理装置の第２実施例について説明する。図３は第２実施例のスクリーンの外観を示す正面図である。前記第１実施例と同一の構成要素については同一の符号で示される。また、特に本実施例において説明されないその他の構成については前記第１実施例と同じである。
【００３２】
図において、１０８はスクリーン、２０はスクリーン１０８の背面側に配設され画像記録範囲の縦方向の位置を指定するカーソル線材、２１はスクリーン１０８の背面側に配設され画像記録範囲の横方向の位置を指定するカーソル線材である。また、２０ａ、２１ａはカーソル２０、２１の各々に取り付けられたつまみ、２２はカーソル２０の位置を検出するための位置検出手段、２３はカーソル２１の位置を検出する位置検出手段、２４はカーソル２０、２１によって画像範囲位置が指定された座標、２５はキーボード（図示せず）などの入力手段によって画像範囲位置が指定された座標、２６は座標２４、２５によって囲まれた画像範囲位置（画像領域）である。
【００３３】
尚、カーソル２０は矢印Ｃ１方向にカーソル２１は矢印Ｃ２方向につまみ２０ａ、２１ａによって移動できる。また、カーソル２０、２１はスクリーン１０８に画像情報を投影する時にスクリーン背面に映り、スクリーン正面側から投影画像情報と共に視認される。
【００３４】
上記構成を有する情報処理装置としてのリーダプリンタでは、使用者の名簿、プログラム、索引などが記録されている画像情報に対して１行の情報または数行に亘る情報のみを画像領域として指定する場合、スクリーン１０８上でカーソル２０、２１を移動し、位置検出手段２２、２３によってスクリーン１０８上の座標２４を検出し、さらにスクリーン１０８上の座標２５をスクリーン１０８上の目盛りを参照してキーボード（図示せず）などの入力手段から入力することにより、スクリーン１０８に投影されている画像情報の面内において所望の追記画像情報を加入したい任意の面領域をカーソル２０、２１の投影線とキーボード（図示せず）などの入力手段で入力された座標とで囲み状態にし、画像領域２６を指定する。
【００３５】
ここで、行を変更して別の画像領域を選択する場合や、投影像を変えて引き続き領域選択する場合には、上下方向においてカーソル２０、または左右方向においてカーソル２１を双方共に移動し、画像領域幅を再度設定しなければならない。
【００３６】
そこで、指定された座標値は記憶装置（図示せず）などに記憶しておき、カーソル２０が矢印Ｃ１方向に移動した場合、記憶しておいた画像領域の座標値より画像領域幅を算出し、座標２４が移動した移動量と画像領域幅を加算し、座標２５の座標値を前回指定した画像領域幅と同一になるよう補正する。
【００３７】
この補正は、再度、キーボード（図示せず）などの入力手段により座標２５が入力されるまで行なう。また、カーソル２１が矢印Ｃ２方向に移動した場合、記憶しておいた画像領域座標値より画像領域幅を算出し、座標２４が移動した移動量と画像領域幅を加算し、座標２５の座標値を前回指定した画像領域幅と同一になるように補正する。この補正は、再度、キーボード（図示せず）などの入力手段により座標２５が入力されるまで行なう。
【００３８】
［第３実施例］
図４は第３実施例のスクリーンの外観を示す正面図である。図において、２０８はスクリーン、２０、２７はスクリーン２０８の背面側に配設され画像記録範囲の縦方向の位置を指定するカーソル、２１、２８はスクリーン２０８の背面側に配設され画像記録範囲の横方向の位置を指定するカーソル、２０ａ、２１ｂ、２７ａ、２８ａは、カーソル２０、２１、２７、２８の各々に取り付けられたつまみ、２２はカーソル２０、２７の位置を検出するための位置検出手段、２３はカーソル２１、２８の位置を検出するための位置検出手段、２４はカーソル２０、２１によって画像範囲位置が指定された座標、２５はカーソル２１、２８によって画像範囲が指定された座標である。
【００３９】
また、２６は座標２４、２５によって囲まれた画像範囲位置、２９はカーソル２０とカーソル２７を連結するための金具で、つまみ２０ａ上を支点にして回転可能である。さらに、金具２９は、つまみ２０ａと重なる部分では回転できないようにしてあり、本実施例では２種類の固定幅を選択できるようにしてあるが、３種類以上の固定幅を選択できるようにすることも可能である。３０はカーソル２１とカーソル２８を連結するための金具で、つまみ２１ａ上を支点にして回転可能である。また、金具３０はつまみ２１ａと重なる部分では回転できないようにしてあり、本実施例では２種類の固定幅を選択できるようにしてあるが、３種類以上の固定幅を選択できるようにすることも可能である。
【００４０】
尚、カーソル２０、２７は矢印Ｃ１方向に、カーソル２１、２８は矢印Ｃ２方向につまみ２０ａ、２１ａ、２７ａ、２８ａによって移動できる。また、カーソル２０、２１、２７、２８はスクリーン２０８に画像情報を投影する時にスクリーン背面に映り、スクリーン２０８の正面側から投影画像情報と共に視認される。
【００４１】
図５は図４におけるカーソル２０とカーソル２７を連結金具２９で連結し、固定領域幅でカーソルを移動できるようにしたときのスクリーン２０８の外観を示す正面図である。図において、カーソル２０を矢印Ｃ１方向に移動すると固定領域幅でカーソル２７が矢印Ｃ１方向に移動し、同様にカーソル２７を矢印Ｃ１方向に移動すると固定領域幅でカーソル２０が矢印Ｃ１方向に移動する。
【００４２】
図６は図４におけるカーソル２１とカーソル２８を連結金具３０で連結し、固定領域幅でカーソルを移動できるようにしたときのスクリーン２０８の外観を示す正面図である。図において、カーソル２１を矢印Ｃ２方向に移動すると固定領域幅でカーソル２８が矢印Ｃ２方向に移動し、同様にカーソル２８を矢印Ｃ２方向に移動すると固定領域幅でカーソル２１が矢印Ｃ２方向に移動する。
【００４３】
図７は図４におけるカーソル連結部分の構成を示す斜視図である。図において、連結金具２９はつまみ２０ａ上を支点にして回転可能で、容易に取り外すことができ、つまみ２７ａにも取り付け可能である。
【００４４】
上記構成を有する情報処理装置としてのリーダプリンタでは、使用者の名簿、プログラム、索引などが記録されている画像情報に対して１行の情報または数行に亘る情報のみを画像領域として指定する場合、図４に示すようにスクリーン２０８上でカーソル２０、２１、２７、２８を移動し、位置検出手段２２、２３によってスクリーン２０８上の座標２４、２５を検出し、スクリーン２０８に投影されている画像情報の面内において所望の追記画像情報を加入したい任意の面領域をカーソル２０、２１、２７、２８の投影線で囲み状態にし、画像範囲位置２６を決定する。
【００４５】
ここで、行を変更して別の画像領域を選択する場合や、投影像を変えて引き続き領域選択する場合には、上下方向において並行一対となっているカーソル２０、２７または左右方向において並行一対となっているカーソル２０、２７または左右方向において並行一対となっているカーソル２１、２８を双方共に移動しなければならない。
【００４６】
そこで、カーソル２０またはカーソル２７が矢印Ｃ１方向に移動する場合、画像領域幅を記憶するために、図５および図６に示すように連結金具２９を回転させてカーソル２７のつまみ２７ａに引っ掛けた状態にして固定画像領域のままで移動する。この連結金具２９は同一画像領域幅でプリントする必要の無い場合には、図３のように非連結状態にしておくことが可能である。
【００４７】
また、カーソル２１またはカーソル２８が矢印Ｃ２方向に移動する場合、画像領域幅を固定するために図５および図６に示すように連結金具３０をカーソル２８のつまみ２８ａに引っ掛け固定画像領域幅で移動する。この連結金具３０は同一画像領域幅でプリントする必要の無い場合には図４に示すように非連結状態にしておくことが可能である。
【００４８】
［第４実施例］
図８は第４実施例のスクリーンの外観を示す正面図である。図において、３０８はスクリーン、２０、２７はスクリーン４０８の背面側に配設され画像記録範囲の縦方向位置を指定するカーソル、２１、２８はスクリーン４０８の背面側に配設され画像記録範囲の横方向の位置を指定するカーソル、２０ａ、２１ａ、２７ａ、２８ａは、カーソル２０、２１、２７、２８に各々取り付けられたつまみ、２２はカーソル２０、２７の位置を検出するための位置検出手段、２３はカーソル２１、２８の位置を検出するための位置検出手段である。
【００４９】
また、２４はカーソル２０、２１によって画像範囲位置が指定された座標、２５はカーソル２１、２８によって画像範囲位置が指定された座標、２６は座標２４、２５によって囲まれた画像範囲位置である。
【００５０】
尚、カーソル２０、２７は矢印Ｃ１方向にカーソル２１、２８は矢印Ｃ２方向につまみ２０ａ、２１ａ、２７ａ、２８ａによって移動でき、モータ（図示せず）により電動でも移動可能である。また、カーソル２０、２１、２７、２８は投影スクリーン３０８に画像情報を投影する時にスクリーン背面に映り、スクリーン正面側から投影画像情報と共に視認される。
【００５１】
図９は図８にカーソル２０、２１、２７、２８を電気的に駆動する駆動部の構成を示すブロック図である。図において、３３はＣＰＵ、３４はモータドライバ、３５はカーソル２０を移動するためのモータ、３６はカーソル２７を移動するためのモータ、３７はカーソル２１を移動するためのモータ、３８はカーソル２８を移動するためのモータである。
【００５２】
図１０はリーダプリンタなどの情報処理装置を遠隔操作するホストコンピュータを示すブロック図である。図において、３９は情報処理装置、４０はホストコンピュータである。
【００５３】
尚、情報処理装置３９とホストコンピュータ４０はＲＳ２３２Ｃ等の通信回線で接続されている。
【００５４】
上記構成を有する情報処理装置としてのリーダプリンタでは、使用者の名簿、プログラム、索引などが記録されている画像情報に対して１行の情報または数行に亘る情報のみを画像領域として指定する場合、図８に示すようにスクリーン３０８上でカーソル２０、２１、２７、２８を移動し、位置検出手段２２、２３によってスクリーン３０８上の座標２４、２５を検出し、スクリーン３０８に投影されている画像情報の面内において所望の追記画像情報を加入したい任意の面領域をカーソル２０、２１、２７、２８の投影線で囲み状態にし、画像範囲位置２６を決定する。
【００５５】
ここで、行を変更して別の画像領域を選択する場合や、投影像を変えて引き続き領域選択する場合には、上下方向において並列一対となっているカーソル２０、２７または左右方向において並行一対となっているカーソル２１、２８を双方共に移動しなければならない。
【００５６】
そこで、カーソル２０またはカーソル２７が矢印Ｃ１方向に移動する場合、指定された画像領域幅を記憶装置（図示せず）に記憶しておき、カーソル２０が矢印Ｃ１方向に移動した場合、ＣＰＵ３３がモータドライバ３４を制御し、記憶しておいた画像領域幅の分だけモータ３６を駆動し、カーソル２７を自動的に移動する。
【００５７】
また、カーソル２７が矢印Ｃ１方向に移動した場合、ＣＰＵ３３がモータドライバ３４を制御し、記憶しておいた画像領域幅の分だけモータ３５を駆動し、カーソル２０を自動的に移動する。
【００５８】
さらに、カーソル２１またはカーソル２８が矢印Ｃ２方向に移動した場合、指定された画像領域幅を記憶装置（図示せず）などに記憶しておき、カーソル２１が矢印Ｃ２方向に移動した場合、ＣＰＵ３３がモータドライバ３４を制御し、記憶しておいた画像領域幅の分だけモータ３８を駆動し、カーソル２８を自動的に移動する。
【００５９】
また、カーソル２８が矢印Ｃ２方向に移動した場合、ＣＰＵ３３がモータドライバ３４を制御し、記憶しておいた画像領域幅の分だけモータ３７を駆動し、カーソル２１を自動的に移動する。
【００６０】
尚、モータ３５、３６、３７、３８の駆動はスイッチ（図示せず）等により駆動／停止を選択可能である。また、これらのカーソル２０、２１、２７、２８は図１０に示すようにホストコンピュータ４０からの遠隔操作も可能で、ホストコンピュータ４０からの命令により画像領域指定が行われた場合、自動的にモータ３５、３６、３７、３８を駆動し、カーソル２０、２１、２７、２８を移動する。
【００６４】
【発明の効果】
本発明の請求項１に係る情報処理装置によれば、引き続き同一幅の領域を選択する場合には上下（縦）方向に並行に連結しているカーソルを、あるいは左右（横）方向に並行に連結しているカーソルを移動させることにより簡単に領域の設定を行なうことができる。また、同一幅の領域を選択しない場合には非連結状態にしておくことができる。
【００６５】
請求項２に係る情報処理装置によれば、縦方向、横方向の複数のカーソルで領域を設定した後、そのうちの１つのカーソルを移動させると残りのカーソルを同一の領域幅となるように自動的に移動させることで同一幅の領域を設定する操作を簡単に行なうことができる。
【図面の簡単な説明】
【図１】第１実施例の情報処理装置としてのリーダプリンタの構成を示す説明図である。
【図２】スクリーン８の外観を示す正面図である。
【図３】第２実施例のスクリーンの外観を示す正面図である。
【図４】第３実施例のスクリーンの外観を示す正面図である。
【図５】図４におけるカーソル２０とカーソル２７を連結金具２９で連結し、固定領域幅でカーソルを移動できるようにしたときのスクリーン２０８の外観を示す正面図である。
【図６】図４におけるカーソル２１とカーソル２８を連結金具３０で連結し、固定領域幅でカーソルを移動できるようにしたときのスクリーン２０８の外観を示す正面図である。
【図７】図４におけるカーソル連結部分の構成を示す斜視図である。
【図８】第４実施例のスクリーンの外観を示す正面図である。
【図９】図８にカーソル２０、２１、２７、２８を電気的に駆動する駆動部の構成を示すブロック図である。
【図１０】リーダプリンタなどの情報処理装置を遠隔操作するホストコンピュータを示すブロック図である。
【図１１】リーダプリンタの外観を示す斜視図である。
【図１２】リーダプリンタの構成を示す説明図である。
【符号の説明】
１  …  マイクロフィルム
２  …  ランプ
５  …  投影レンズ
８  …  スクリーン
１２  …  感光ドラム
１８  …  記録用紙
２０、２７、２１、２８  …  カーソル
２９、３０  …  連結金具
３５、３６、３７、３８  …  モータ
【図１】
0003715667.tif 000002
【図２】
0003715667.tif 000003
【図３】
0003715667.tif 000004
【図４】
0003715667.tif 000005
【図５】
0003715667.tif 000006
【図６】
0003715667.tif 000007
【図７】
0003715667.tif 000008
【図８】
0003715667.tif 000009
【図９】
0003715667.tif 000010
【図１０】
0003715667.tif 000011
【図１１】
0003715667.tif 000012
【図１２】
0003715667.tif 000013